(57)【要約】  膝関節屈曲リハビリテーション装置の使用を監視するためのシステムは、膝関節屈曲リハビリテーション装置と、センサと、センサからの信号を受信及び表示するように構成されたモニタと、を備える。
2020512097.tif 000002
【特許請求の範囲】
【請求項１】
膝関節屈曲リハビリテーション装置であって、
第１の支持足及びブラケットが装着された管状ストラットであって、第１の孔を形成している前記管状ストラットと、
前記管状ストラット内に並進可能かつ回転可能に配置された高さ調整バーであって、該高さ調整バーの直径に沿って貫通する複数の第２の孔を形成している前記高さ調整バーと、
前記高さ調整バーに対して略直角に固定された支持バーであって、膝関節後部を受容するように構成されたバッドの付いた前記支持バーと、
前記ブラケットに揺動可能に連結されるとともに第２の支持足が装着された支持ストラットであって、前記管状ストラットに対する平行な状態から開いて前記管状ストラットに対して鋭角をなすように揺動可能である前記支持ストラットと、
一方向の並進に抗して前記高さ調整バーを固定するために前記複数の第２の孔の１つの中に取り外し可能に配置されたピンと、
膝関節後部を受容したことを感知するとともに該受容を示す信号を生成するように配置及び構成されたセンサと、
を備える装置。
【請求項２】
前記センサは、前記支持バーに取り付けられている請求項１に記載の装置。
【請求項３】
前記センサは、支持足に取り付けられている請求項１に記載の装置。
【請求項４】
前記支持バーはパッド付きであり、前記センサは、前記パッドに取り付けられている請求項１に記載の装置。
【請求項５】
前記センサは、前記管状ストラットに取り付けられている請求項１に記載の装置。
【請求項６】
膝屈曲支持のためのシステムであって、
膝支持バーと、
前記膝支持バーに取り外し可能に取り付けるように構成された複数のパッドであって、各パッドが、該複数のパッドにおける他のパッドの外径とは異なる外径を有する前記複数のパッドと、
前記複数のパッドのうちの少なくとも１つに配置されたセンサであって、膝関節後部を受容したことを感知するとともに該受容を示す信号を生成するように構成された前記センサと、を備えるシステム。
【請求項７】
前記複数のパッドは、前記膝支持バーに取り付けるように構成された第１のパッドと、前記第１のパッドに入れ子式に取り付けるように構成された第２のパッドと、を備え、前記センサは、前記第１のパッドと前記第２のパッドとの間に配置されている請求項６に記載のシステム。
【請求項８】
前記複数のパッドのそれぞれは、膝関節が異なる領域で運動することを許容するように構成されている請求項６に記載のシステム。
【請求項９】
前記複数のパッドのそれぞれは、該複数のパッドにおける他のパッドの色とは知覚的に異なる色を備えている請求項６に記載のシステム。
【請求項１０】
前記複数のパッドのそれぞれは、該パッドによって許容されるおおよその膝関節運動の領域を示す運動領域マーキングを備えている請求項６に記載のシステム。
【請求項１１】
前記膝支持バーは、略剛性があり、かつ略直線状である請求項６に記載のシステム。
【請求項１２】
前記複数のパッドのうちの最大外径を有するパッドは、該パッドから概ね第１の接線方向に延出する第１のウィングを備えている請求項６に記載のシステム。
【請求項１３】
前記複数のパッドのうちの最大外径を有するパッドは、該パッドから概ね第２の接線方向に延出する第２のウィングを備え、前記第２のウィングは、該パッド周りに、前記第１のウィングから約１８０度〜約３００度の範囲内に向けられている請求項７に記載のシステム。
【請求項１４】
前記第１のウィング及び前記第２のウィングの少なくとも一方は、概ね復元性を有する請求項８に記載のシステム。
【請求項１５】
前記複数のパッドのそれぞれは、該パッドから概ね第１の接線方向に延出する第１のウィングを備えている請求項７に記載のシステム。
【請求項１６】
前記複数のパッドのそれぞれは、該パッドから概ね第２の接線方向に延出する第２のウィングを備え、前記第２のウィングは、それぞれの該パッド周りに、前記第１のウィングから約１８０度〜約３００度の範囲内に向けられている請求項１０に記載のシステム。
【請求項１７】
前記複数のパッドの各パッドの前記第１のウィング及び前記第２のウィングは、前記複数のパッドにおける他のパッドの前記第１のウィング及び前記第２のウィングと入れ子状である請求項１１に記載のシステム。
【請求項１８】
前記複数のパッドは、２個から２０個までの範囲内の数のパッドである請求項６に記載のシステム。
【請求項１９】
前記複数のパッドは、２個から１２個までの範囲内の数のパッドである請求項６に記載のシステム。
【請求項２０】
前記複数のパッドは、３個のパッドである請求項６に記載のシステム。
【請求項２１】
膝関節屈曲を向上する方法であって、
入れ子式かつ取り外し可能に複数のパッドを支持バーに取り付けることと、
膝関節後部を受容したことを感知するとともに該受容を示す信号を生成するように構成されたセンサを、前記複数のパッドのうちの少なくとも１つに配置することと、
前記複数のパッドが取り付けられた前記支持バーを膝関節後部に位置決めすることと、
膝関節を第１の運動領域において動かすことと、
前記支持バーを膝関節後部から外すことと、
前記複数のパッドのうちの最外側のパッドを前記支持バーから取り外すことと、
前記複数のパッドのうちの残されている１つに前記センサを再配置することと、
前記最外側のパッドが取り外された前記支持バーを膝関節後部に位置決めすることと、
膝関節を第２の運動領域において動かすことを、この順序で備えている方法。
【請求項２２】
膝関節屈曲を向上する方法であって、
第１の外径を有する第１のパッドを取り外し可能に支持バーに取り付けることと、
膝関節後部を受容したことを感知するとともに該受容を示す信号を生成するように構成されたセンサを、前記第１のパッドの上又は前記第１のパッドの下に配置することと、
前記第１のパッドが取り付けられた前記支持バーを膝関節後部に位置決めすることと、
膝関節を第１の運動領域において動かすことと、
前記支持バーを膝関節後部から外すことと、
前記第１のパッドを前記支持バーから取り外すことと、
前記第１の外径よりも小さい第２の外径を有する第２のパッドを取り外し可能に前記支持バーに取り付けることと、
前記第２のパッドの上又は前記第２のパッドの下に前記センサを再配置することと、
前記第２のパッドが取り付けられた前記支持バーを膝関節後部に位置決めすることと、
膝関節を第２の運動領域において動かすことを、この順序で備えている方法。
【請求項２３】
膝関節屈曲リハビリテーション装置であって、
第１の支持足及びブラケットが装着された管状ストラットであって、第１の孔を形成している前記管状ストラットと、
前記管状ストラット内に並進可能かつ回転可能に配置された高さ調整バーであって、該高さ調整バーの直径に沿って貫通する複数の第２の孔を形成している前記高さ調整バーと、
前記高さ調整バーに対して略直角に固定された支持バーであって、膝関節後部を受容するように構成されたバッドの付いた前記支持バーと、
前記支持バーに取り外し可能に取り付けるように構成された複数のパッドであって、各パッドが、該複数のパッドにおける他のパッドの外径とは異なる外径を有する前記複数のパッドと、
前記ブラケットに揺動可能に連結されるとともに第２の支持足が装着された支持ストラットであって、前記管状ストラットに対する平行な状態から開いて前記管状ストラットに対して鋭角をなすように揺動可能である前記支持ストラットと、
一方向の並進に抗して前記高さ調整バーを固定するために前記複数の第２の孔の１つの中に取り外し可能に配置されたピンと、
膝関節後部を受容したことを感知するとともに該受容を示す信号を生成するように構成されたセンサと、を備える装置。
【請求項２４】
前記複数のパッドは、前記支持バーに取り付けるように構成された第１のパッドと、前記第１のパッドに入れ子式に取り付けるように構成された第２のパッドと、を備えている請求項２３に記載のシステム。
【請求項２５】
前記複数のパッドのそれぞれは、膝関節が異なる領域で運動することを許容するように構成されている請求項２３に記載のシステム。
【請求項２６】
前記支持バーは、略剛性があり、かつ略直線状である請求項２３に記載のシステム。
【請求項２７】
前記複数のパッドのうちの最大外径を有するパッドは、該パッドから概ね第１の接線方向に延出する第１のウィングを備えている請求項２３に記載のシステム。
【請求項２８】
前記複数のパッドのうちの最大外径を有するパッドは、該パッドから概ね第２の接線方向に延出する第２のウィングを備え、前記第２のウィングは、該パッド周りに、前記第１のウィングから約１８０度〜約３００度の範囲内に向けられている請求項２２に記載のシステム。
【請求項２９】
前記第１のウィング及び前記第２のウィングの少なくとも一方は、概ね復元性を有する請求項２３に記載のシステム。
【請求項３０】
前記複数のパッドのそれぞれは、該パッドから概ね第１の接線方向に延出する第１のウィングを備えている請求項１９に記載のシステム。
【請求項３１】
前記複数のパッドのそれぞれは、該パッドから概ね第２の接線方向に延出する第２のウィングを備え、前記第２のウィングは、それぞれの該パッド周りに、前記第１のウィングから約１８０度〜約３００度の範囲内に向けられている請求項２５に記載のシステム。
【請求項３２】
前記複数のパッドの各パッドの前記第１のウィング及び前記第２のウィングは、前記複数のパッドにおける他のパッドの前記第１のウィング及び前記第２のウィングと入れ子状である請求項２６に記載のシステム。
【請求項３３】
前記複数のパッドは、２個から２０個までの範囲内の数のパッドである請求項２３に記載のシステム。
【請求項３４】
前記複数のパッドは、２個から１２個までの範囲内の数のパッドである請求項２３に記載のシステム。
【請求項３５】
前記複数のパッドは、３個のパッドである請求項２３に記載のシステム。
【請求項３６】
前記ピンは、さらに、回転及び並進に抗して前記高さ調整バーを固定するために、前記第１の孔に取り外し可能に配置されている請求項２３に記載のシステム。
【請求項３７】
前記第１の足は、前記管状ストラットに対して略直角であり、前記第２の足は、前記支持ストラットに対して略直角である請求項２３に記載のシステム。
【請求項３８】
前記支持バーは、パッド付きである請求項２３に記載のシステム。
【請求項３９】
前記ブラケットは、前記支持ストラットが予め設定された角度を超えて前記管状ストラットから開くことを防止するように構成されている請求項２３に記載のシステム。
【請求項４０】
請求項２３に記載の装置を使用する方法であって、
入れ子式かつ取り外し可能に前記複数のパッドを前記支持バーに取り付けるステップと、
前記複数のパッドの上又は前記複数のパッドの下に前記センサを配置するステップと、
略水平な面上で患者を仰臥位の向きにするステップと、
患者の脚を上げるステップと、
前記第１の支持足が患者の臀部に隣接し、前記管状部材が患者の脚の大腿部に略平行になるように、前記装置を患者の脚の下に配置するステップと、
前記複数のパッドが取り付けられた前記支持バーが患者の脚の膝関節後部又はその近傍に接触するように、前記高さ調整バーを並進させるステップと、
患者の脚の下部にかかる重力によって膝関節のリハビリテーションを向上することが可能となるように、前記支持バーを乗り越えて患者の脚の下部を片持ち状に延ばすことを許容するステップと、
膝関節を第１の運動領域において動かすステップと、
膝を前記支持バーから外すステップと、
前記複数のパッドのうちの最外側のパッドを前記支持バーから取り外すステップと、
前記複数のパッドのうちの残されている１つに前記センサを再配置するステップと、
前記最外側のパッドが取り外された前記支持バー上に、膝を再配置するステップと、
膝関節を第２の運動領域において動かすステップと、を備えている方法。
【請求項４１】
前記高さ調整バーがテーブルに向かって並進するのを防止するように、前記複数の第２の孔の１つに前記ピンを挿入するステップをさらに備えている請求項３５に記載の方法。
【請求項４２】
前記高さ調整バーの並進及び回転を防止するように、前記ピンを前記第１の孔に挿入するとともに前記複数の第２の孔の１つに挿入するステップをさらに備えている請求項３５に記載の方法。
【請求項４３】
膝屈曲支持のためのシステムであって、
複数の膝支持バーであって、各々の膝支持バーは、該複数の膝支持バーにおける他の膝支持バーの外径とは異なる外径を有する前記複数の膝支持バーと、
複数のパッドであって、各パッドが、前記複数の膝支持バーのうちの少なくとも１つに取り付けるように構成されている前記複数のパッドと、
膝関節後部を受容したことを感知するとともに該受容を示す信号を生成するように構成されたセンサと、を備えるシステム。
【請求項４４】
膝関節屈曲リハビリテーション装置であって、
第１の支持足及びブラケットが装着された管状ストラットであって、第１の孔を形成している前記管状ストラットと、
前記管状ストラット内に並進可能かつ回転可能に配置された高さ調整バーであって、該高さ調整バーの直径に沿って貫通する複数の第２の孔を形成している前記高さ調整バーと、
複数の膝支持バーであって、各々の膝支持バーは、該複数の膝支持バーにおける他の膝支持バーの外径とは異なる外径を有し、各々の膝支持バーは、前記高さ調整バーに取り外し可能に取り付けるように構成されているとともに、膝関節後部を受容するように構成されている、前記複数の膝支持バーと、
前記ブラケットに揺動可能に連結されるとともに第２の支持足が装着された支持ストラットであって、前記管状ストラットに対する平行な状態から開いて前記管状ストラットに対して鋭角をなすように揺動可能である前記支持ストラットと、
一方向の並進に抗して前記高さ調整バーを固定するために前記複数の第２の孔の１つの中に取り外し可能に配置されたピンと、
膝関節後部を受容したことを感知するとともに該受容を示す信号を生成するように配置及び構成されたセンサと、を備える装置。
【請求項４５】
膝関節屈曲リハビリテーション装置の使用を監視するためのシステムであって、
請求項１、６、２１、２２、２３、４３、４４のいずれか一項に記載の装置と、
前記センサから信号を受信するとともに、前記信号の表すものを画面に表示するように構成されたモニタと、を備えるシステム。
【請求項４６】
前記モニタは、通信ネットワークを介して前記信号を無線で受信するように構成されている請求項６に記載のシステム。
【請求項４７】
前記モニタは、前記信号を受信するとともに、前記信号の表すものを画面に表示するように構成されたアプリケーションを有するスマートフォンである請求項７に記載のシステム。
【請求項４８】
通信ネットワークを介して前記センサ及び前記モニタと通信するサーバをさらに備えている請求項６に記載のシステム。
【請求項４９】
膝関節屈曲リハビリテーション装置の使用を監視する方法であって、請求項１、６、２１、２２、２３、４３、４４のいずれか一項に記載の装置の前記センサから信号を送信することを備えている方法。
【請求項５０】
膝関節屈曲リハビリテーション装置の使用を監視する方法であって、請求項１、６、２１、２２、２３、４３、４４のいずれか一項に記載の装置の前記センサから信号を受信することを備えている方法。
【請求項５１】
前記信号を処理することと、
前記処理された信号を表示することと、をさらに備えている請求項５０に記載の方法。
【請求項５２】
前記信号が生成された１つ以上の時刻を表示することをさらに備えている請求項５１に記載の方法。
【請求項５３】
前記信号が生成された１つ以上の持続時間を表示することをさらに備えている請求項５２に記載の方法。
【請求項５４】
前記信号が生成された１つ以上の日付を表示することをさらに備えている請求項５１に記載の方法。
【請求項５５】
前記処理された信号に基づいて、進度報告をソーシャルメディア上で公開することをさらに備えている請求項５１に記載の方法。
【請求項５６】
前記信号の生成に基づいて、タイマを開始させることをさらに備えている請求項５１に記載の方法。
【請求項５７】
前記信号の生成に基づいて、予め設定された定常化期間の後に、タイマを開始させることをさらに備えている請求項５１に記載の方法。
【請求項５８】
前記信号の生成に基づいて、前記信号が予め設定された時間にわたって持続する場合に、タイマを開始させることをさらに備えている請求項５１に記載の方法。
【発明の詳細な説明】
【技術分野】
【０００１】
開示される方法及び装置は、広くは、理学療法活動を電子的に検出、監視、及び報告することに関するものである。
【背景技術】
【０００２】
理学療法レジメンの有効性は、割り当てられたレジメンに対する患者のコンプライアンスに関する情報を得ることなく、正確に評価することはできない。理学療法レジメンの治療効果を正確に評価するには、患者のコンプライアンスの様々な側面に関する情報が必要である。そのような側面には、一般に、レジメンの個々の構成要素の有効性、レジメンの全体的な有効性、及び患者のフィードバックなどが含まれることがある。
【０００３】
現在、レジメンコンプライアンスに関する情報は、治療提供者による直接観察及び患者による自己報告に限られている。治療提供者及びその他の医療従事者は、多くの場合、複数の患者を同時に担当しているので、割り当てられたレジメンの全部を直接観察することは不可能であることが多い。自己報告は、患者の失念、又は患者がノンコンプライアンスを認めたくないという当然の心理が理由で、信頼できないことが多い。自己報告が信頼性を欠くことは、効果的な理学療法レジメンの進行にとって依然として大きな障害のままである。
【０００４】
よって、理学療法レジメンに対する患者のコンプライアンスを監視するための装置が依然として求められている。
【発明の概要】
【０００５】
膝関節屈曲リハビリテーション装置は、第１の支持足及びブラケットが装着された管状ストラットであって、第１の孔を形成している管状ストラットと、管状ストラット内に並進可能かつ回転可能に配置された高さ調整バーであって、高さ調整バーの直径に沿って貫通する複数の第２の孔を形成している高さ調整バーと、高さ調整バーに対して略直角に固定された支持バーであって、膝関節後部を受容するように構成されたバッドの付いた支持バーと、ブラケットに揺動可能に連結されるとともに第２の支持足が装着された支持ストラットであって、管状ストラットに対する平行な状態から開いて管状ストラットに対して鋭角をなすように揺動可能である支持ストラットと、一方向の並進に抗して高さ調整バーを固定するために複数の第２の孔の１つの中に取り外し可能に配置されたピンと、膝関節後部を受容したことを感知するとともにその受容を示す信号を生成するように配置及び構成されたセンサと、を備える。
【０００６】
膝屈曲支持のためのシステムは、膝支持バーと、膝支持バーに取り外し可能に取り付けるように構成された複数のパッドであって、各パッドが、複数のパッドにおける他のパッドの外径とは異なる外径を有する前記複数のパッドと、複数のパッドのうちの少なくとも１つに配置されたセンサであって、膝関節後部を受容したことを感知するとともにその受容を示す信号を生成するように構成されたセンサと、を備える。
【０００７】
膝関節屈曲を向上する方法は、入れ子式かつ取り外し可能に複数のパッドを支持バーに取り付けることと、膝関節後部を受容したことを感知するとともにその受容を示す信号を生成するように構成されたセンサを複数のパッドのうちの少なくとも１つに配置することと、複数のパッドが取り付けられた支持バーを膝関節後部に位置決めすることと、膝関節を第１の運動領域において動かすことと、支持バーを膝関節後部から外すことと、複数のパッドのうちの最外側のパッドを支持バーから取り外すことと、複数のパッドのうちの残されている１つにセンサを再配置することと、最外側のパッドが取り外された支持バーを膝関節後部に位置決めすることと、膝関節を第２の運動領域において動かすことを、この順序で備えている。
【０００８】
膝関節屈曲を向上する方法は、第１の外径を有する第１のパッドを取り外し可能に支持バーに取り付けることと、膝関節後部を受容したことを感知するとともにその受容を示す信号を生成するように構成されたセンサを第１のパッドの上又は第１のパッドの下に配置することと、第１のパッドが取り付けられた支持バーを膝関節後部に位置決めすることと、膝関節を第１の運動領域において動かすことと、支持バーを膝関節後部から外すことと、第１のパッドを支持バーから取り外すことと、第１の外径よりも小さい第２の外径を有する第２のパッドを取り外し可能に支持バーに取り付けることと、第２のパッドの上又は第２のパッドの下にセンサを再配置することと、第２のパッドが取り付けられた支持バーを膝関節後部に位置決めすることと、膝関節を第２の運動領域において動かすことを、この順序で含む。
【０００９】
膝関節屈曲リハビリテーション装置は、第１の支持足及びブラケットが装着された管状ストラットであって、第１の孔を形成している管状ストラットと、管状ストラット内に並進可能かつ回転可能に配置された高さ調整バーであって、高さ調整バーの直径に沿って貫通する複数の第２の孔を形成している高さ調整バーと、高さ調整バーに対して略直角に固定された支持バーであって、膝関節後部を受容するように構成されたバッドの付いた支持バーと、支持バーに取り外し可能に取り付けるように構成された複数のパッドであって、各パッドが、複数のパッドにおける他のパッドの外径とは異なる外径を有する前記複数のパッドと、ブラケットに揺動可能に連結されるとともに第２の支持足が装着された支持ストラットであって、管状ストラットに対する平行な状態から開いて管状ストラットに対して鋭角をなすように揺動可能である支持ストラットと、一方向の並進に抗して高さ調整バーを固定するために複数の第２の孔の１つの中に取り外し可能に配置されたピンと、膝関節後部を受容したことを感知するとともにその受容を示す信号を生成するように構成されたセンサと、を備える。
【００１０】
膝屈曲支持のためのシステムは、複数の膝支持バーであって、各々の膝支持バーは、複数の膝支持バーの他の膝支持バーの外径とは異なる外径を有する、複数の膝支持バーと、複数のパッドであって、各パッドが、複数の膝支持バーのうちの少なくとも１つに取り付けるように構成されている前記複数のパッドと、膝関節後部を受容したことを感知するとともにその受容を示す信号を生成するように構成されたセンサと、を備える。
【００１１】
膝関節屈曲リハビリテーション装置は、第１の支持足及びブラケットが装着された管状ストラットであって、第１の孔を形成している管状ストラットと、管状ストラット内に並進可能かつ回転可能に配置された高さ調整バーであって、高さ調整バーの直径に沿って貫通する複数の第２の孔を形成している高さ調整バーと、複数の膝支持バーであって、各々の膝支持バーは、複数の膝支持バーの他の膝支持バーの外径とは異なる外径を有し、各々の膝支持バーは、高さ調整バーに取り外し可能に取り付けるように構成されているとともに、膝関節後部を受容するように構成されている、複数の膝支持バーと、ブラケットに揺動可能に連結されるとともに第２の支持足が装着された支持ストラットであって、管状ストラットに対する平行な状態から開いて管状ストラットに対して鋭角をなすように揺動可能である支持ストラットと、一方向の並進に抗して高さ調整バーを固定するために複数の第２の孔の１つの中に取り外し可能に配置されたピンと、膝関節後部を受容したことを感知するとともにその受容を示す信号を生成するように構成されたセンサと、を備える。
【図面の簡単な説明】
【００１２】
【図１】膝関節リハビリテーション装置の実施形態を示す図。
【図２】センサを有するパッドの実施形態を示す図。
【図３】パッドのシステムが取り付けられた膝関節リハビリテーション装置の実施形態を示す図。
【図４】センサを有するパッドのシステムの実施形態を示す図。
【図５Ａ】センサを有するパッドのシステムの実施形態を示す図。
【図５Ｂ】センサを有するパッドのシステムの実施形態を示す図。
【図５Ｃ】センサを有するパッドのシステムの実施形態を示す図。
【図６Ａ】センサを有するパッドのシステムのさらなる他の実施形態を示す図。
【図６Ｂ】センサを有するパッドのシステムのさらなる他の実施形態を示す図。
【図６Ｃ】センサを有するパッドのシステムのさらなる他の実施形態を示す図。
【図７Ａ】センサを有するパッドのシステムのさらなる他の実施形態を示す図。
【図７Ｂ】センサを有するパッドのシステムのさらなる他の実施形態を示す図。
【図８】パッドのシステムのさらなる他の実施形態を示す図。
【図９Ａ】図１の実施形態の使用方法を示す図。
【図９Ｂ】図１の実施形態の使用方法を示す図。
【図９Ｃ】図１の実施形態の使用方法を示す図。
【図１０Ａ】センサを有するパッドのシステムの使用方法を示す図。
【図１０Ｂ】センサを有するパッドのシステムの使用方法を示す図。
【図１１Ａ】センサを有するパッドのシステムの使用方法を示す図。
【図１１Ｂ】センサを有するパッドのシステムの使用方法を示す図。
【図１２】患者コンプライアンス追跡システムのためのグラフィカルユーザインタフェースの実施形態を示す図。
【図１３】患者コンプライアンス追跡システムのためのモバイルデバイス・グラフィカルユーザインタフェースの実施形態を示す図。
【図１４】患者コンプライアンス追跡システムの実施形態を示す図。
【図１５】患者コンプライアンス追跡システムの他の実施形態を示す図。
【図１６】患者コンプライアンス追跡システムのさらなる他の実施形態を示す図。
【発明を実施するための形態】
【００１３】
理学療法レジメン中に患者のコンプライアンスを監視するための装置は、理学療法装置に、又は理学療法装置の周辺構成要素に、又はその両方に配置されたセンサに依存し得る。それらのセンサは、患者が当該の理学療法装置に積極的に取り組んでいることを示し得る。それらのセンサからのデータは、センサの出力を処理及び記録するために、コンピュータ又はデータ取得モジュールのような別の装置に送信され得る。センサデータは、処理後に、アーカイブするため、及び、このような記録へのアクセスを必要とし得る認可されたエンティティによるさらなるアクセスのために、さらに、内部サーバへ、そして次にクラウドに送信されることがあり、又はクラウドに直接送信されることがある。そのような認可されたエンティティは、理学療法スタッフ、医師、保険担当者、研究者、並びに患者のケア及び理学療法レジメンの進行に関連したその他の者を含み得る。
【００１４】
また、センサデータは、割り当てられたレジメンのコンプライアンスの監視に使用される端末及びスマートデバイスに送信されることもある。これらの端末及びスマートデバイスには、理学療法スタッフ、患者、又はその両方がアクセスし得る。そのデータは、リアルタイムで送信され得ることで、当該のセッション中に、ノンコンプライアンスを特定して対処し得る。これにより、療法士又は患者は、セッション中に、行っている治療を直ちに遵守させて、そのセッションのアウトカムを向上させることが許容され得る。患者、療法士、又はその両方は、割り当てられたレジメンのコンプライアンス及び有効性を評価するための、より豊富なデータを作成するために、データログに情報を追加することが可能であり得る。
【００１５】
図１の実施形態に示すように、理学療法装置４、及び／又はパッド６のシステムのような療法装置４の周辺構成要素に対して、１つ以上のセンサ２を１つ以上の位置に装着し得る。それらのセンサ２は、接着剤、縫着、若しくは他の機械的手段によって適切な位置に結合でき、又は装置にその一部として形成され得る。それらのセンサ２は、恒久的に結合でき、又は取り外し可能に結合され得る。取り外し可能又は交換可能なセンサ２は、非恒久接着剤、センサ２を受け入れるポケット、クリップ又はブラケットのような機械装置によって実現され得る。恒久的に結合されるセンサは、恒久接着剤を用いるか、又は装置４若しくはパッド６に形成され得る。センサ２を装置４又はパッド６に縫着することは、物理的設計というよりも経済的に決定される恒久結合又は交換可能な結合のいずれかに相当し得る。
【００１６】
それらのセンサ２は、単独のセンサ又はセンサのネットワークを構成し得るものであって、有線通信又は無線通信によって他のネットワーク装置との通信を維持し得る。これらのセンサ２は、療法セッションに関するフィードバックを提供するように機能し得る。このようなフィードバックは、患者の理学療法レジメンの開始と終了、開始時刻と終了時刻、患者が処方された動作をいかに正確に行うか、センサの配列に基づく運動領域、装置上での患者の肢部の位置決め、装置に対する患者の身体の位置決め、支持面に対する装置の向き、並びに治療コンプライアンスの分析に使用し得るその他のデータ、を含み得るが、ただし、これらに限定されない。さらに、センサ２は、ある肢部の接触領域にわたって観測される圧力プロファイルが、具体的にどの肢部が装置４に接触しているのかを示し得るように配置され得る。例えば、膝の後面の内側部分は、膝の外側部分よりも大きな圧力を発生し得る。この圧力勾配は、膝と装置との想定される幾何学的関係と比較することで、装置４と接触しているのは右膝か左膝かを示し得る。
【００１７】
その開示の全体が参照により本明細書に組み込まれる、２０１５年６月３０日に出願された「Ｍｅｔｈｏｄ  ａｎｄ  Ａｐｐａｒａｔｕｓ  ｆｏｒ  Ｋｎｅｅ  Ｊｏｉｎｔ  Ｆｌｅｘｉｂｉｌｉｔｙ  Ｒｅｈａｂｉｌｉｔａｔｉｏｎ（膝関節屈曲リハビリテーションのための方法及び装置）」と題する米国特許出願公開第２０１６／０３６７４２７号明細書（出願番号１４／７５８，７７６）に開示されているような、膝屈曲リハビリテーション装置４などの理学療法装置４に、センサ２は配置され得る。このような装置を、図１に示している。このような膝関節屈曲リハビリテーション装置４は、第１の支持足１０及びブラケット１２が装着された管状ストラット８であって、第１の孔を形成している前記管状ストラット８と、管状ストラット８内に並進可能かつ回転可能に配置された高さ調整バー１４であって、該高さ調整バー１４の断面に沿って貫通する複数の第２の孔を形成している前記高さ調整バー１４と、高さ調整バー１４に対して略直角に固定された支持バー１６であって、膝関節後部を受容するように構成されたパッド６を有する前記支持バーと、ブラケット１２に揺動可能に連結されるとともに第２の支持足２０が装着された支持ストラット１８であって、管状ストラット８に対し、平行な状態から開いて管状ストラットに対して鋭角をなすように揺動可能である前記支持ストラット１８と、一方向の並進に対して高さ調整バー１４を固定するために複数の第２の孔の１つの中に取り外し可能に配置されたピンと、を備え得る。第１の足１０は、管状ストラット８に対して略直角であることができ、第２の足２０は、支持ストラット１８に対して略直角であり得る。支持バー１６は、パッド付きであり得る。ブラケット１２は、支持ストラット１８が予め設定された角度を超えて管状ストラット８から開くことを防止するように構成され得る。
【００１８】
図１に示すように、センサ２は、膝屈曲装置４の支持バー１６に、又は高さ調整シャフト１４に沿って、又は第１の支持足１０、第２の支持足２０に沿って、又は上記の位置の任意の組み合わせに、又は患者が装置４に接触し得る他のいずれかの位置に、配置され得る。この療法装置４に、データ取得モジュール２２を装着し得る。
【００１９】
また、図２の実施形態に示すように、その開示の全体が参照により本明細書に組み込まれる、２０１５年６月３日に出願された「Ｍｅｔｈｏｄ  ａｎｄ  Ａｐｐａｒａｔｕｓ  ｆｏｒ  Ｖａｒｉａｂｌｅ  Ｋｎｅｅ  Ｆｌｅｘｉｏｎ  Ｓｕｐｐｏｒｔ（可変膝屈曲支持のための方法及び装置）」と題する国際出願番号ＰＣＴ／ＵＳ２０１５／０３４０１９（国際公開第２０１６／１９５６８０号）に開示されているような、パッド６、又は１つ以上のパッドを備えるパッドシステムなど、本装置の付属構成要素に、センサ２は配置されてもよい。その１つ又は複数のパッド６は、上記で開示したような理学療法装置４と併せて用いることができ、又は療法装置４として多くの一般的な物品を用いることが許容され得る。これには、椅子、ベッド柵、ヘッドボード、足ボード、又は十分な強度、幾何学的形状、及びサイズの他のいずれかの装置が含まれ得る。このようなパッド６は、単独のパッドとして、又はパッドのセットとして、配備され得る。
【００２０】
パッドスタイルが異なれば、センサ２をパッド上の異なる位置に配置することが必要となり得る。選択されたパッド６のスタイル及びセンサ２タイプの特性によって許容されるように、それらのセンサ２は、パッド６の表面に結合されるか、又はパッドの表面に埋め込まれるか、又はより深くパッド６の本体内に埋め込まれ得る。センサは、１列以上のセンサ列、といったセンサ配列で設けられ得る。他の実施形態では、センサはパッドの上又はパッドの間に取り外し可能に配置され得る。そのような実施形態では、単独のセンサを複数パッドのシステムと共に用いることができ、あるパッドの追加又は除去後に、そのセンサを再配置し得る。
【００２１】
図３の実施形態に示すように、膝屈曲リハビリテーション装置４は、膝を載せ得る支持バー１６を備え得る。膝支持システム１６は、漸増的な膝屈曲を可能とするために本明細書に記載のように配備され得る１つ以上のパッドのパッドシステム６を用い得る。センサ２は、患者が療法装置４に取り組んでいるときに患者とセンサ２との接触が維持されるように、配置され得る。
【００２２】
一実施形態では、図４に示すように、パッドシステム６は、パッド層の入れ子構造を構成し得る。この場合、各パッド６は、療法装置４の使用時に患者に接触させるように配置されたセンサ２を有し得る。そのような実施形態では、ベースパッド２４は、第１のパッド層２４として、支持バー１６を覆い得る。第２のパッド層２６は、第１のパッド層２４を覆うことができ、第３のパッド層２８は、第２のパッド層２６を覆い得る。
【００２３】
パッド６のセットは、パッド２４、２６、２８上又はパッド２４、２６、２８内に配置されたセンサ２と共に、互いに入れ子にし得る。入れ子式のパッドのセットの場合に、又はその他の所望され得る場合に、療法士のタブレット若しくはワークステーションのような中央制御ステーションから監視するために、それらのセンサ２を個別に有効にし得る。あるいは、それらのセンサ２は、覆っているパッド２４、２６、２８と実際の患者との違いを感知するように配置され得る。これにより、内側パッド２４及び２６上のセンサ２を無効にし得る一方、外側パッド２８上のセンサ２のみを有効にする。
【００２４】
例えば、この選択性は、共同で機能する温度センサと力センサ又は圧力センサとの組み合わせによって実現され得る。温度センサは、覆っているパッドと患者とを区別するために使用され得る一方、力センサ又は圧力センサは、患者コンプライアンスデータを記録するために使用される。温度センサ及び力センサ又は圧力センサは、人間による接触と入れ子状に覆うパッドによる接触との区別を可能なものにするセンサタイプの任意の組み合わせで置き換えられ得る。また、このセンサ拡張パッドによって、椅子、ベッド柵、又は療法レジメンをサポートするのに適したいずれかの機構のような、急造の療法装置と共に、このシステムを用いることも許容し得る。
【００２５】
図５Ａ〜図５Ｃの実施形態では、支持バー１６上で別々に使用するために準備された、３個のパッド３０、３２、３４を使用し得る。３個のパッド３０、３２、３４のそれぞれは、異なる厚さを有することができ、これにより、それぞれ異なる有効直径を支持バー１６に提供し得る。例えば、支持バー１６の直径を効果的に増加させるために、第１のパッド層２４、第２のパッド層２６、及び第３のパッド層２８（図４）を使用する代わりに、入れ子式パッドで提供されるのと同じ有効直径を効果的に実現するために、単独のパッド３０、３２、又は３４を個別に用い得る。同様に、第１のパッド層２４及び第２のパッド層２６で提供されるのと同じ有効直径を実現するために、単独のパッド３０、３２、又は３４を用いることができ、さらに第１のパッド層２４で提供されるのと同じ有効直径を実現するために、単独のパッドを用い得る。このように、パッド層は、小径パッド３０、中径パッド３２、及び大径パッド３４で置き換えられ得る。このようなパッドは、パッドの上又はパッド内又はパッドの間の１つ以上の位置に配置されたセンサ２を有し得る。
【００２６】
あるいは、図６Ａ〜図６Ｃに示すように、パッド６のセットと療法装置４は、パッド６の厚さではなく、パッド６が装着される支持バー１６の直径を変えることにより、ある範囲の有効直径を実現し得る。このような実施形態では、小径の支持バー３６、中径の支持バー３８、及び大径の支持バー４０であることができ、これらはいずれもパッド６で覆われ得る。上述のように、パッドの上、パッドの間、又はパッドと支持バーとの間に、センサが取り外し可能に配置され得る。
【００２７】
いくつかの実施形態では、センサは、療法セッション中に患者との略連続的な接触が得られるように配置され得る。上述のようなパッド又は１つ以上のパッドのシステムは、図１の装置と併せて用いることができ、あるいは、手すり、椅子の背もたれ、ベッド枠、又はブラケットのような適切に構成された支持バー又は支持面と併せて用い得る。
【００２８】
他の実施形態では、図７に示すように、運動領域をさらに制御するために、パッド６の１つ以上に、１つ以上のウィング４２を設けることができ、これに対して上腿及び／又は下腿をもたせ掛け得る。各ウィング４２は、パッド６に対して接線方向に、パッド６から延出し得る。単一のウィング４２の実施形態では、ウィング４２が支持バー１６の周りに回転することを実質的に制限するように、支持バー１６に固定され得る。図７Ａの実施形態では、外層パッド４４は、患者の脚をさらに支持し得る、下腿支持ウィング４６及び下腿支持ウィング４８を備え得る。２個のウィングを用いる場合には、下腿支持ウィング４８は、下腿支持ウィング４６から適切な角度範囲α内に配置され得る。外層パッド４４は、入れ子状の内側パッド５０上にある場合があり、さらにこの内側パッド５０が、入れ子状の最内側パッド５２上にある場合がある。このような実施形態では、センサ２は、パッド６の中央本体に配置されることができ、さらなるセンサが、パッドの各ウィング４２に沿って配置され得る。
【００２９】
図８の実施形態のような、いくつかの実施形態では、層状パッド５０のシステムは、入れ子式の支持ウィング５２を提供し得る。もちろん、支持バー１６に順次取り付けるように構成されたパッド５０に、１つ以上のウィング４２を設けてもよい。そのような実施形態では、各パッドのウィング４２及びそのウィングを有するパッド５２の中央本体５４にいずれも配置されるセンサ２を採用し得る。
【００３０】
図９Ａ〜図９Ｃに示すように、患者５６が、療法セッションを開始する準備をするに当たり、患者５６は、療法装置４との物理的接触をなし得る。図９Ａでは、患者５６は、療法装置４に取り組む準備をしているものとみなされ得る。図９Ｂでは、療法装置を患者の身体（この場合は、患者の脚）に対して適切に位置決めするために、患者５６は、療法装置への取り組みを開始し得る。図９Ｃでは、患者５６は、患者の身体に対する装置の適切な位置決めを確立し得るとともに、装置４の使用を開始し得る。患者５６が自身の身体を適切な位置にすると、患者５６は、このシステムのセンサ２の１つ以上に接触し得る。これらの準備及び調整を患者５６が行う際のノンコンプライアンスデータの誤認を軽減するために、センサは感圧式のものであることができ、さらに、いくつかの実施形態では、患者５６とセンサ２との最初の接触時に直ちにデータログの記録を開始しなくし得る。他の実施形態では、センサシステムは、データ記録を開始する前に、すべてのセンサ又は特定のセンサ２が接触していることを要件とし得る。過早のデータ記録をさらに防止するために、システムは、セッションのデータ記録を開始させるためのアクションを行うように患者又は療法士に要求することもある。例えば、患者は、スマートデバイスのアプリケーションにアクセスすることができ、そして、セッションを開始させるためにボタンを押さなければならない。あるいは、療法士は、セッションのデータ記録を開始させるために療法士のインタラクションを要求する制御プログラムを有し得る。これらの人間のインタラクションは、システムにおける自動データ記録プロトコルと連携して作用し得る。
【００３１】
いくつかの実施形態では、センサ２は、療法装置に取り組む患者との断続的な接触の間に、２秒などの定常化時間を有し得る。患者５６の接触が定常化時間を超えると、センサネットワークは、データログの記録を開始し得る。そのようなデータログは、そのレジメンに患者５６が取り組み続けている時間の長さ、膝において生じている屈曲の程度、レジメンプロトコルに適合しているかどうか、療法セッションのコンプライアンス及び有効性を確証するのに有用であり得る他のいずれかのデータ、に関する情報を含み得る。その後、このデータは、設定された療法レジメンに対する患者のコンプライアンスを分析するために採用され得る。
【００３２】
それらのセンサ２は、温度センサ、圧力センサ、力センサ、又はそれらの組み合わせであり得る。具体的には、センサ２は、熱電対、サーミスタ、圧電機構、歪みゲージ、及び上記の一般的なセンサタイプの他の一般的な実施形態、であり得る。これらのセンサタイプは、療法装置４に接触する患者５６を検出し得る最も一般的なセンサに相当するが、必要に応じて他のセンサタイプを選択し得る。
【００３３】
図１０Ａ及び図１０Ｂの実施形態に示すように、上記の膝屈曲リハビリテーション装置４を使用する方法は、第１の外径を有する第１のパッド３０を取り外し可能に支持バー１６に取り付けることと、第１のパッド３０が取り付けられた支持バー１６を、パッド３０上のセンサ２に肢部３３が接触するように膝関節３１の後部に位置決めすることと、膝関節３１を第１の運動領域において動かすことと、支持バー１６を膝関節３１の後部から外すことと、第１のパッド３０を支持バー１６から取り外すことと、第１の外径よりも大きい第２の外径を有する第２のパッド３２を取り外し可能に支持バー１６に取り付けることと、第２のパッド３２が取り付けられた支持バー１６を膝関節３１の後部に位置決めすることと、膝関節３１を第２の運動領域において動かすことと、割り当てられた療法レジメンで要求されるすべての有効直径にわたって、このようなプロセスを繰り返すこと、を備え得る。１つ以上のセンサ２は、（例えば、圧力によって）肢部の配置を検出し得るとともに、患者のコンプライアンスを追跡するためのデータロガーに信号を送信し得る。センサ２の配置に応じて、データロガーは、センサデータに基づき運動領域を計算し得る。
【００３４】
あるいは、図１１Ａ及び図１１Ｂの実施形態に示すように、上記の膝屈曲リハビリテーション装置４を使用する方法は、複数のパッド６を入れ子式かつ取り外し可能に支持バー１６に取り付けることと、複数のパッド６が取り付けられた支持バー１６を膝関節３１の後部に位置決めすることと、膝関節３１を第１の運動領域において動かすことと、支持バー１６を膝関節３１の後部から外すことと、複数のパッド６のうちの最外側のパッド２８を支持バー１６から取り外すことと、最外側のパッド２８が取り外された支持バー１６を膝関節３１の後部に位置決めすることと、膝関節３１を第２の運動領域において動かすことと、この療法レジメンで要求されるすべての有効直径にわたって、このようなプロセスを繰り返すこと、を備え得る。この療法セッションの各段階では、治療コンプライアンスパラメータを監視するために、肢部３３はセンサ２に接触したまま維持され得る。１つ以上のセンサ２は、（例えば、圧力によって）肢部の配置を検出し得るとともに、患者のコンプライアンスを追跡するためのデータロガーに信号を送信し得る。センサ２の配置に応じて、データロガーは、センサデータに基づき運動領域を計算し得る。
【００３５】
図１０Ａ〜図１１Ｂの実施形態に示すように、センサ２は、患者の肢部３３とセンサ２が配置された構成要素（パッド又は支持バー）との間の相対角度に拘らず、センサ２が患者に接触したまま維持されるように、配置され得る。これは、センサの幾何学的形状及び配置によって実現され得る。例えば、多数の小型センサ２によって、接触面の主要な部分を覆うことで、患者との連続的な接触を確保し得る。あるいは、それよりはるかに少数の大表面積のセンサ２によって、より小型のセンサ２と同じ結果を得ることができる。さらには、センサ２を、適切な表面積の単一体として実現し得る。
【００３６】
センサ２は、使用している療法装置４に装着したデータ取得モジュール２２を介して、他のネットワーク装置との通信を維持し得る。そのようなモジュール２２は、データの収集、調整、及び送信のためのデータ取得装置として機能し得る。このモジュール２２は、センサ２及びネットワークの他の装置と通信するために、有線プロトコル又は無線プロトコルを用い得る。その後、センサデータは、レジメンを管理する理学療法チームのメンバがコンピュータ端末又は電話機若しくはタブレットのようなスマートデバイスを介して利用できるようにされ得る。いくつかの実施形態では、データ取得装置は、データを受信及び処理するように構成されたプロセッサを含み得る。通信ポートによって、コンピュータ又はサーバとの有線通信が許容され得る。他の実施形態では、デスクトップコンピュータ、モバイルデバイス、及び／又はリモートサーバなどのコンピュータとの無線通信のために、データ取得装置内にトランシーバを設け得る。データを保存するためにコンピュータ記憶媒体を用い得る。
【００３７】
ウェブベースの療法士インタフェースの例示的なモデルを図１２に示している。このようなインタフェースは、患者及び実施されるセッションに関する識別情報を含み得る。そのような情報は、管理療法士が入力することができ、又は、医師からの指示、医療記録、若しくは他のそのようなエンティティなど、他のソースから自動入力され得る。インタフェースは、療法士が当該のセッションに関するメモを作成するためのリンク又はボタンを有し得る。その他のリンク又はボタンによって、療法士は、他のシステム関連タスクを構成、初期化、調整、セットアップ、カスタマイズ、又は実行することが許容され得る。例えば、療法士は、セッションで使用される療法装置に関連した特定のセンサネットワークからの入力を選択し得る。また、療法士は、センサが適切に機能していることを確認するためなど、セッションの開始前に診断機能を実行することも可能であり得る。インタフェースは、セッション中の患者のパフォーマンスに関するオンスクリーンフィードバック、及びシステム機能フィードバックを提示することもある。このようなインタフェース上の他のリンク及びボタンとして、患者カレンダ、コンプライアンス履歴、療法セッションの有効性及びコンプライアンスの最適化に関するその他の情報、を含み得るが、ただし、これらに限定されない。
【００３８】
また、データは、患者が端末又は電話機若しくはタブレットのようなスマートデバイスによって利用できるようにされてもよく、これにより、セッション中にリアルタイムで、患者、療法士、又はその両方がコンプライアンスを監視することが可能とされ得る。モバイルデバイスにインストールするためのモバイルアプリケーションが提供され得る。患者デバイス上のアプリケーションによって、患者は、データタイムラインに情報を追加することが可能とされ得る。そのようなアプリケーションの典型的な実例を、図１３に示している。その情報は、痛みのレベル、レジメンを実行する難しさなどのフィードバックに関するもの、又はその他の関連データであり得る。同様に、療法士が、患者のパフォーマンスに関するメモを作成して、この情報をセンサデータタイムラインに追加することが可能であり得る。メモの追加、及びセンサデータタイムラインへの入力によって、処方されたレジメンの有効性に関するより深い理解が可能とされ得る。
【００３９】
このシステムは、療法セッション中に、リマインダ、アラート、その他の関連情報を、患者に送信することが可能であり得る。また、システムは、このようなアラート及びリマインダを、セッション前又はセッション後に患者に送信する機能を保持していてもよい。このようなアラート及びリマインダは、電話通知、電子メール、テキストメッセージ、自動電話連絡、又はその他の電子通信モダリティの形式であり得る。リマインダ及びアラートは、近々のセッションを患者にリマインドするものであることができ、さらにセッション中のコンプライアンス関連情報を含むものであり得る。このような情報によって、セッションをいつ開始するか、いつ終了するか、さらには患者が処方された終了時点よりも前に終了したことをセンサネットワークが検出した場合に継続させるためのリマインダを患者に伝え得る。このような情報はすべて、患者のコンプライアンスレベルを調査するためのデータログタイムラインに追加され得る。
【００４０】
このようなアプリケーションは、「セッションが開始しました」、「セッションが終了しました」、「セッションが中断されました」、及びセッションの実行を促すための他の伝達事項のような、メッセージを患者に表示し得る。このアプリケーションは、患者による療法レジメンに関連したアクセス及びフィードバックを可能とするためのリンク及びボタンを有し得る。これらのボタン及びリンクとして、カレンダ、ソーシャルメディアに結果を投稿する機能、セッション前、セッション中、セッション後の痛みのレベルに関するリアルタイムフィードバックを入力する機能、療法士へのコメント、療法士による直接のケアを求める機能、を含み得る。また、このアプリケーションは、患者にセッションフィードバックを提示することもある。例えば、そのセッションの進度及び目標が画面に表示されることがある。また、励まし及び意欲向上のメッセージも、このアプリケーションを通して患者に伝えられる。
【００４１】
図１４〜図１６に示すように、センサデータ及びコンプライアンス情報を、検出、記録、表示、及び送信するためのシステムは、理学療法装置４上にセンサのセット（図示せず）を備えることができ、このセンサのセットは、それらのセンサで収集されたデータを処理、調整、保存、及び使用するためのデータ取得（ＤＡＱ：ｄａｔａ  ａｃｑｕｉｓｉｔｉｏｎ）装置２２にネットワーク接続されている。このようなネットワークは、それらのセンサと、データの収集、処理、調整、及び送信のためのデータ取得モジュール２２と、サーバ５８と、クラウドストレージ６０と、モバイル型のクライアント６２と従来型のクライアント６４の両方と、で構成され得る。あるいは、ネットワークは、クライアントデバイス６２及び６４と直接通信するＤＡＱ２２と、さらに内部サーバ５８の必要性をなくすクラウド６０と、を有し得る。このような構成では、患者及び療法士のクライアントデバイス６２、６４は、クラウド６０に保存されたセンサデータログに追加し得る。さらには、ＤＡＱ２２も、すべてのデータをクラウド６０のみに送信することができ、すべてのクライアントデバイス６２、６４は、クラウド６０からのデータにアクセスし得る。
【００４２】
治療が行われる場所には、サーバ、デスクトップコンピュータ、モバイル通信装置、キオスク、及びモニタのような、様々なコンピュータ、ネットワーク、及び関連装置を装備し得る。そのような装備は、コンピュータシステムを形成するように接続され得る。このようなシステムは、クライアント・サーバアーキテクチャを構成し得る。システムは、通信ネットワークを介して１つ以上のクライアントデバイスと通信する１つ以上のサーバを備え得る。他の実施形態では、システムは、ピアツーピアアーキテクチャのような他のタイプのネットワークアーキテクチャ、又はその任意の組み合わせ若しくはハイブリッドを構成し得る。
【００４３】
サーバは、１つ以上の他のコンピュータ若しくはプログラム又はクライアントからのコマンド若しくは要求に応じる１つ以上のコンピュータ若しくはプログラムを備え得る。クライアントは、１つ以上の他のコンピュータ若しくはプログラム又はサーバによって提供されるサービスを求めるコマンド若しくは要求を発行する１つ以上のコンピュータ若しくはプログラムを備え得る。サーバ及びクライアントは、１つ以上のコンピュータ及び／若しくは地理的場所に配置されることができ、又はそれらに分散して配置され得る。サーバ及び／又はクライアントは、多様に、例えば、メインフレームコンピュータ、デスクトップコンピュータ、ＰＤＡ（パーソナルデジタルアシスタント）、スマートフォン、タブレット、ネットブック、ポータブルコンピュータ、ネットワーク通信機能を有するポータブルメディアプレーヤ、ネットワーク通信機能を有するカメラ、ウェアラブルコンピュータ、ポイントオブセール装置などであり得るか、又はそれらの上にあり得る。
【００４４】
図１４に示すように、データログは、現場の医師、研究者、及びその他の認可されたエンティティがアクセスするために、内部サーバに記録され得る。その後、データログは、認可された外部エンティティが必要に応じてアクセスするために、クラウドサーバに記録され得る。また、コンプライアンスに関して収集された情報は、患者の医療記録に電子的又は手動的に入力されてもよい。システムは、さらに、患者コンプライアンスのデモグラフィック分析に関する情報を収集するために、複数のユーザについてのコンプライアンスデータを集約する機能を保持していてもよい。このような集約は、データログをデータベースに直接送信することによって実現されることができ、その場合、その関連したデータフィールドに、データログから直接入力され得る。あるいは、このような集約は、データログからの関連情報が医療記録に記録された後に、それらの医療記録からデータを抜き出すことにより実現され得る。これらの方法は、研究及びその他の適切な用途のためにコンプライアンス情報を集約し得る方法についての２個の具体例である。これらの例は、多数の個々の患者データログから集約データを取得する他の一般的に適用される方法をいずれも除外するものではない。
【００４５】
他の実施形態では、図１５に示すように、ＤＡＱは、クラウド６０並びにクライアントデバイス６２及び６４と同時に通信し得る。このような構成では、クライアントデバイス６２、６４は、ＤＡＱ２２がクライアントデバイス６２、６４に送信してくる情報をいずれもデータログに追加し得る。クラウド６０、又はシステム内の他の何らかの適切な場所において、ＤＡＱ２２で作成されたデータログの追加バージョンを作成するために、これらの３個のデータストリームのコピーを統合し得る。
【００４６】
あるいは、図１６に示すように、治療施設に内部サーバを必要とすることなく、認可された内部エンティティと外部エンティティの両方によるアクセスを可能とするように、ＤＡＱ２２からのデータをクラウド６０に直接送信し得る。このような構成によって、さらに、在宅療法レジメンのように、臨床環境外でセンサシステムを使用することも許容し得る。クラウド上のデータは、個人識別情報を外されたものであることができ、又は特定のレベルの個人情報へのアクセスを、階層的なアクセス権構造によって制御し得る。この手順は、患者の医療・健康データの取り扱いに関する関連法の遵守を許容するように実施され得る。
【００４７】
開示された主題及びその効果について詳細に記載したが、これにおいて、添付の請求項で規定される開示の主題から逸脱することなく、様々な変更、置換、及び改変を実施できることは、理解されるべきである。また、特許請求の対象範囲は、本明細書に記載のプロセス、マシン、製造物、組成物、又は物質、手段、方法、及びステップの特定の実施形態に限定されるものではない。本開示から容易に理解できるように、本明細書に記載の対応する実施形態と略同じ機能を果たすか、又は略同じ結果を得られるような、現存する、又は後に開発されるプロセス、マシン、製造物、物質の組成物、手段、方法、又はステップを用い得る。よって、添付の請求項は、その範囲内に、かかるプロセス、マシン、製造物、物質の組成物、手段、方法、又はステップを含むものとする。
【図１】
2020512097.tif 000003
【図２】
2020512097.tif 000004
【図３】
2020512097.tif 000005
【図４】
2020512097.tif 000006
【図５Ａ】
2020512097.tif 000007
【図５Ｂ】
2020512097.tif 000008
【図５Ｃ】
2020512097.tif 000009
【図６Ａ】
2020512097.tif 000010
【図６Ｂ】
2020512097.tif 000011
【図６Ｃ】
2020512097.tif 000012
【図７Ａ】
2020512097.tif 000013
【図７Ｂ】
2020512097.tif 000014
【図８】
2020512097.tif 000015
【図９Ａ】
2020512097.tif 000016
【図９Ｂ】
2020512097.tif 000017
【図９Ｃ】
2020512097.tif 000018
【図１０Ａ】
2020512097.tif 000019
【図１０Ｂ】
2020512097.tif 000020
【図１１Ａ】
2020512097.tif 000021
【図１１Ｂ】
2020512097.tif 000022
【図１２】
2020512097.tif 000023
【図１３】
2020512097.tif 000024
【図１４】
2020512097.tif 000025
【図１５】
2020512097.tif 000026
【図１６】
2020512097.tif 000027
【国際調査報告】
2020512097.tif 000028
2020512097.tif 000029